(57)【要約】以下を含む染料およびその塩の混合物：（ａ）式（１）の染料およびその塩：式（１）［式中：Ｒ１は、置換されていてもよいＣ１−８アルキルであり；Ｒ２は、Ｈまたはメチルであり；Ｒ３は、Ｈまたは置換されていてもよいＣ１−４アルキルであり；Ｌは、置換されていてもよいＣ１−４アルキレンであり；ｙは１〜３であり；ｚは１〜３であり；そして、ｙ＋ｚは２〜４である］：ならびに、（ｂ）酸性トリフェニルメタン染料およびその塩：ここにおいて、成分（ａ）と（ｂ）の比は９５：５〜５：９５重量部の範囲にある。同様に、組成物、インク、印刷方法、印刷された材料、およびインクジェットカートリッジ。2013508496.tif 000016【選択図】なし
2013508496.tif 000002
【特許請求の範囲】
【請求項１】
以下を含む染料およびその塩の混合物：
（ａ）式（１）の染料およびその塩：
【化１】
2013508496.tif 000013
［式中：
Ｒ１は、置換されていてもよいＣ１−８アルキルであり；
Ｒ２は、Ｈまたはメチルであり；
Ｒ３は、Ｈまたは置換されていてもよいＣ１−４アルキルであり；
Ｌは、置換されていてもよいＣ１−４アルキレンであり；
ｙは１〜３であり；
ｚは１〜３であり；そして
ｙ＋ｚは２〜４である］
ならびに
（ｂ）酸性トリフェニルメタン染料およびその塩：
ここにおいて、成分（ａ）と（ｂ）の比は９５：５〜５：９５重量部の範囲にある。
【請求項２】
Ｒ１が、−ＯＨ、−ＳＯ３Ｈ、−ＣＯ２Ｈおよび−ＰＯ３Ｈ２からなる群より選択される１以上の置換基を持つＣ１−４アルキルである、請求項１に記載の染料およびその塩の混合物。
【請求項３】
Ｒ１が式−ＣＨ２ＣＨ２ＣＨ２−ＳＯ３Ｈの基である、請求項１〜２のいずれか一項に記載の染料およびその塩の混合物。
【請求項４】
Ｒ２がＨである、請求項１〜３のいずれか一項に記載の染料およびその塩の混合物。
【請求項５】
Ｒ３が、−ＯＨ、−ＳＯ３Ｈ、−ＣＯ２Ｈおよび−ＰＯ３Ｈ２からなる群より選択される少なくとも１つの置換基を持つＣ１−４アルキルである、請求項１〜４のいずれか一項に記載の染料およびその塩の混合物。
【請求項６】
Ｒ３が式−ＣＨ２ＣＨＯＨＣＨ３の基である、請求項１〜５のいずれか一項に記載の染料およびその塩の混合物。
【請求項７】
Ｌが式−ＣＨ２ＣＨ２−の基である、請求項１〜６のいずれか一項に記載の染料およびその塩の混合物。
【請求項８】
ｙ＋ｚが４である、請求項１〜７のいずれか一項に記載の染料およびその塩の混合物。
【請求項９】
ｙおよびｚにより表される基が、β−位を介してのみフタロシアニンに結合している、請求項１〜８のいずれか一項に記載の染料およびその塩の混合物。
【請求項１０】
式（１）の染料およびその塩が、式（２）のものおよびその塩である、請求項１〜９のいずれか一項に記載の染料およびその塩の混合物：
【化２】
2013508496.tif 000014
［式中：
Ｐｃは、式
【化３】
2013508496.tif 000015
のフタロシアニン核を表し、
側基はβ−位を介してのみ該フタロシアニン核に結合している］。
【請求項１１】
酸性トリフェニルメタン染料がＣ．Ｉ．アシッドブルー９またはその塩である、請求項１〜１０のいずれか一項に記載の染料およびその塩の混合物。
【請求項１２】
成分（ａ）と（ｂ）の比が８５：１５〜６５：３５重量部の範囲にある、請求項１〜１１のいずれか一項に記載の染料およびその塩の混合物。
【請求項１３】
請求項１〜１２のいずれか一項に記載の染料およびその塩の混合物と液体媒体とを含む組成物。
【請求項１４】
インクジェット印刷機での使用に適したインクである、請求項１３に記載の組成物。
【請求項１５】
基材上に像を形成するための方法であって、請求項１４に記載のインクジェット印刷機での使用に適したインクを、インクジェット印刷機により基材に施用することを含む方法。
【請求項１６】
請求項１〜１２のいずれか一項に記載の染料およびその塩の混合物で印刷された材料。
【請求項１７】
チャンバーと請求項１４に記載のインクジェット印刷機での使用に適したインクとを含むインクジェット印刷機用カートリッジであって、該インクが該チャンバー内にある、前記インクジェット印刷機用カートリッジ。
【発明の詳細な説明】
【技術分野】
【０００１】
本発明は、染料混合物、インクジェット印刷機用の組成物およびインク、印刷方法、印刷された基材、ならびにインクジェット印刷機用カートリッジに関する。
【背景技術】
【０００２】
インクジェット印刷は、ノズルを基材と接触させることなくインクの液滴を微細ノズルに通して基材上に噴出させる、ノンインパクト印刷技術である。この技術に用いられるインクのセットは、典型的には黄色、マゼンタ、シアンおよび黒色インクを含む。
【０００３】
高解像度デジタルカメラの出現に伴い、消費者がインクジェット印刷機を用いて写真を印刷することが、次第に一般的になってきている。
インクジェット印刷機は他の形の印刷および現像に対し多くの利点を有するが、取り組むべき多くの技術的課題が存在する。例えば、インク媒体に溶解するが優れた耐湿潤堅牢度を示す（すなわち、印刷したときにプリントが滲んだり不鮮明になったりしない）インク着色剤を提供するという、相反する要件がある。また、インクは、印刷した後にシートがくっつくのを回避するために迅速に乾燥することが必要であるが、印刷機のヘッドの微小ノズルの上を覆ってクラスト(crust)を形成すべきではない。印刷機に用いられている微小ノズルを詰まらせうる粒子の形成を回避するために、貯蔵安定性も重要である。これは特に、消費者はインクジェットインクカートリッジを数ヶ月にわたり保持する可能性があるためである。さらに、特に写真用品質の再生に重要なことであるが、得られる像は、光または一般的な酸化ガス、例えばオゾンへの暴露により、急激に日焼けまたは退色を起すべきでない。
【０００４】
高品質で写真のようにリアルなインクジェット印刷のためには、あらゆる像を最適に再生することができるように、各着色剤の色調および彩度が厳密に的確であることが特に重要である。これを達成するために、１を超える着色剤をインクに用いることができる。
【０００５】
インクに用いるための着色剤の選択は、それ自体が技能である。これは、化学者は、必要な光学的性質を有するプリントをさまざまな異なる基材上にもたらす着色剤混合物を、識別しなければならないためである。化学者はまた、選択した着色剤混合物により上記のような要求の厳しい性能基準を満たすインクが確実にもたらされるようにしなければならない。彼らはまた、インクのもっとも高価な成分である着色剤（１以上）の費用を、インク性能に悪影響を及ぼすことなく、最小限に抑えなければならない。
【発明の概要】
【０００６】
本発明は、以下を含む染料の混合物を提供する：
（ａ）式（１）の染料およびその塩：
【０００７】
【化１】
2013508496.tif 000003
【０００８】
［式中：
Ｒ１は、置換されていてもよいＣ１−８アルキルであり；
Ｒ２は、Ｈまたはメチルであり；
Ｒ３は、Ｈまたは置換されていてもよいＣ１−４アルキルであり；
Ｌは、置換されていてもよいＣ１−４アルキレンであり；
ｙは１〜３であり；
ｚは１〜３であり；そして
ｙ＋ｚは２〜４である］
ならびに
（ｂ）酸性トリフェニルメタン染料およびその塩：
ここにおいて、成分（ａ）と（ｂ）の比は９５：５〜５：９５重量部の範囲にある。
【発明を実施するための形態】
【０００９】
Ｒ１は、−ＯＨ、−ＳＯ３Ｈ、−ＣＯ２Ｈおよび−ＰＯ３Ｈ２からなる群より選択される１以上の置換基を持つＣ１−４アルキルであることが好ましい。より好ましくは、Ｒ１は、１以上の−ＳＯ３Ｈ基を持つＣ１−４アルキルである。Ｒ１が式−ＣＨ２ＣＨ２ＣＨ２−ＳＯ３Ｈの基であることが、とりわけ好ましい。
【００１０】
Ｒ２はＨであることが好ましい。
Ｒ３は、−ＯＨ、−ＳＯ３Ｈ、−ＣＯ２Ｈおよび−ＰＯ３Ｈ２からなる群より選択される少なくとも１つの置換基を持つＣ１−４アルキルであることが好ましい。Ｒ３が式−ＣＨ２ＣＨＯＨＣＨ３の基であることが、とりわけ好ましい。
【００１１】
Ｌは、置換されていないＣ１−４アルキレンであることが好ましい。より好ましくは、Ｌは式−ＣＨ２ＣＨ２−の基である。
ｙ＋ｚは、好ましくは３〜４、より好ましくは４である。
【００１２】
ｙおよびｚにより表されフタロシアニン核の各成分環に結合している置換基は、１以下であることが好ましい。
ｙおよびｚにより表される基は、β−位を介してのみフタロシアニンに結合していることが好ましい。
【００１３】
式（１）の染料およびその塩は、式（２）のものおよびその塩であることが好ましい：
【００１４】
【化２】
2013508496.tif 000004
【００１５】
［式中：
Ｐｃは、式
【００１６】
【化３】
2013508496.tif 000005
【００１７】
のフタロシアニン核を表し、
側基はβ−位を介してのみ該フタロシアニン核に結合している］。
酸性トリフェニルメタン染料は、Ｃｏｌｏｒ  Ｉｎｄｅｘに挙げられているものであることが好ましく、より好ましくは、酸性トリフェニルメタン染料はＣ．Ｉ．アシッドブルー９またはその塩である。
【００１８】
Ｃ．Ｉ．アシッドブルー９は、いくつかの供給業者から市販されている。使用する前にＣ．Ｉ．アシッドブルー９を精製して、インクジェット印刷に適した形に転化することが好ましい。好ましい精製段階としては、無機不純物を除去するための逆浸透および粒状物質を除去するための篩い分けが挙げられる。
【００１９】
成分（ａ）と（ｂ）の比は、好ましくは９５：５〜２５：７５重量部の範囲、より好ましくは７５：２５〜２５：７５の範囲、特に８５：１５〜６５：３５重量部の範囲にある。
【００２０】
第２の態様において、成分（ａ）と（ｂ）の比は、５５：４５〜４５：５５重量部の範囲にある。
本発明に従った染料の混合物は、インクジェット印刷で用いるためのシアンインクの調製に用いることができる。それらは、他の着色インクに明暗を与えるために用いることもできる。
【００２１】
式（１）の染料は、すべてのシアンインクジェット染料のなかでもっとも有効なものの一つである。しかしながら、それらは作製費が極めて高価である。出願人は、式（１）の染料を一般に遙かに安価な酸性トリフェニルメタン染料と混合することにより、意外にも式（１）の染料単独で見られる性能に近い技術的性能を示すが、単価が遙かに安い染料混合物を得ることが可能であることを、見いだした。出願人はまた、本発明に従った染料の混合物は、印刷したときに、成分染料の光学濃度から予測される値より高い光学濃度を有することを見いだした。
【００２２】
本明細書中に示す染料上の酸性および塩基性基、とりわけ酸性基は、塩の形にあることが好ましい。したがって、本明細書中に示す化学式は、遊離酸および塩の形にある化合物を包含する。
【００２３】
好ましい塩は、アルカリ金属塩、特に、リチウム、ナトリウムおよびカリウム、アンモニウムおよび置換アンモニウム塩（（ＣＨ３）４Ｎ＋のような第四アミンを含む）、ならびにそれらの混合物である。特に好ましいものは、ナトリウム、リチウム、アンモニアおよび揮発性アミンを伴う塩、さらに特にリチウムおよびナトリウム塩である。
【００２４】
本明細書中に開示する染料を、公知の技術を用いて塩に転化してもよい。
本明細書に開示する染料は、本明細書中に示したもの以外の互変異性体の形で存在していてもよい。これらの互変異性体は、本発明の範囲内に包含される。
【００２５】
式（１）の染料は、本明細書中で参考として援用する米国特許公報第７２１１１３４号に記載されている方法を用いて調製することができる。
本発明の第２の観点に従って、本発明の第１の観点に記載した染料および／またはその塩の混合物と液体媒体とを含む組成物を提供する。
【００２６】
本発明の第２の観点に従った好ましい組成物は、以下：
（ａ）本発明の第１の観点に従った染料およびその塩の混合物を０．０１〜３０部；ならびに
（ｂ）７０〜９９．９９部の液体媒体；
ここにおいて、部はすべて重量に基づく
を含む。
【００２７】
部数（ａ）＋（ｂ）＝１００であることが好ましい。
成分（ａ）の部数は、好ましくは０．１〜２０、より好ましくは０．５〜１５、特に１〜５部である。成分（ｂ）の部数は、好ましくは８０〜９９．９、より好ましくは８５〜９９．５、特に９５〜９９部である。
【００２８】
成分（ａ）は、成分（ｂ）に完全に溶解することが好ましい。成分（ａ）は、２０℃において少なくとも１０％の成分（ｂ）への溶解度を有することが好ましい。これにより、より希薄なインクを調製するために用いることができる液体染料濃縮物の調製が可能になり、貯蔵中に液体媒体の蒸発が起こった場合に染料が沈殿する可能性が低下する。
【００２９】
該インクは、高濃度シアンインク、低濃度シアンインク、または高濃度および低濃度インクの両方として、インクジェット印刷機に組み込むことができる。後者の場合、これは、印刷像の解像度および品質に改善をもたらすことができる。したがって、本発明は、成分（ａ）が２．５〜７部、より好ましくは２．５〜５部（高濃度インク）の量で存在するか、または成分（ａ）が０．５〜２．４部、より好ましくは０．５〜１．５部（低濃度インク）の量で存在する、組成物（好ましくはインク）も提供する。
【００３０】
好ましい液体媒体としては、水、水と有機溶媒の混合物、および水を含まない有機溶媒が挙げられる。液体媒体は、水と有機溶媒の混合物または水を含まない有機溶媒を含むことが好ましい。
【００３１】
液体媒体（ｂ）が水と有機溶媒の混合物を含む場合、水と有機溶媒の重量比は、好ましくは９９：１〜１：９９、より好ましくは９９：１〜５０：５０、特に９５：５〜８０：２０である。
【００３２】
水と有機溶媒の混合物中に存在する有機溶媒は、水混和性有機溶媒またはそのような溶媒の混合物であることが好ましい。好ましい水混和性有機溶媒としては、Ｃ１−６−アルカノール、好ましくは、メタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノールおよびシクロヘキサノール；線状アミド、好ましくは、ジメチルホルムアミドまたはジメチルアセトアミド；ケトンおよびケトン−アルコール、好ましくは、アセトン、メチルエーテルケトン、シクロヘキサノンおよびジアセトンアルコール；水混和性エーテル、好ましくは、テトラヒドロフランおよびジオキサン；ジオール、好ましくは、２〜１２の炭素原子を有するジオール、例えば、ペンタン−１，５−ジオール、エチレングリコール、プロピレングリコール、ブチレングリコール、ペンチレングリコール、ヘキシレングリコールおよびチオジグリコール、ならびに、オリゴ−およびポリ−アルキレングリコール、好ましくは、ジエチレングリコール、トリエチレングリコール、ポリエチレングリコールおよびポリプロピレングリコール；トリオール、好ましくは、グリセロールおよび１，２，６−ヘキサントリオール；ジオールのモノ−Ｃ１−４−アルキルエーテル、好ましくは、２〜１２の炭素原子を有するジオールのモノ−Ｃ１−４−アルキルエーテル、特に、２−メトキシエタノール、２−（２−メトキシエトキシ）エタノール、２−（２−エトキシエトキシ）−エタノール、２−［２−（２−メトキシエトキシ）エトキシ］エタノール、２−［２−（２−エトキシエトキシ）−エトキシ］−エタノールおよびエチレングリコールモノアリルエーテル；環状アミド、好ましくは、２−ピロリドン、Ｎ−メチル−２−ピロリドン、Ｎ−エチル−２−ピロリドン、カプロラクタムおよび１，３−ジメチルイミダゾリドン；環状エステル、好ましくはカプロラクトン；スルホキシド、好ましくはジメチルスルホキシド；ならびに、スルホン、好ましくはスルホランが挙げられる。液体媒体は、水と２以上、特に２〜８種の水混和性有機溶媒を含むことが好ましい。
【００３３】
特に好ましい水混和性有機溶媒は、環状アミド、特に、２−ピロリドン、Ｎ−メチル−ピロリドンおよびＮ−エチル−ピロリドン；ジオール、特に、１，５−ペンタンジオール、エチレングリコール、チオジグリコール、ジエチレングリコールおよびトリエチレングリコール；ならびに、ジオールのモノ−Ｃ１−４−アルキルおよびＣ１−４−アルキルエーテル、より好ましくは、２〜１２の炭素原子を有するジオールのモノ−Ｃ１−４−アルキルエーテル、特に、２−メトキシ−２−エトキシ−２−エトキシエタノールである。
【００３４】
液体媒体が、水を含まない有機溶媒（すなわち１重量％未満の水）を含む場合、該溶媒は、好ましくは３０〜２００℃、より好ましくは４０〜１５０℃、特に５０〜１２５℃の沸点を有する。有機溶媒は、水不混和性、水混和性、またはそのような溶媒の混合物であることができる。好ましい水混和性有機溶媒は、上記水混和性有機溶媒のいずれかおよびその混合物である。好ましい水不混和性溶媒としては、例えば、脂肪族炭化水素；エステル、好ましくは酢酸エチル；塩素化炭化水素、好ましくはＣＨ２Ｃｌ２；およびエーテル、好ましくはジエチルエーテル；およびそれらの混合物が挙げられる。
【００３５】
液体媒体が水不混和性有機溶媒を含む場合、極性溶媒が包含されることが好ましい。これは、極性溶媒が液体媒体への染料の溶解性を向上させるためである。極性溶媒の例としてはＣ１−４−アルコールが挙げられる。
【００３６】
前述の優先傾向を考慮すると、液体媒体が、水を含まない有機溶媒である場合、それは、ケトン（特にメチルエチルケトン）および／またはアルコール（特にＣ１−４−アルカノール、さらに特にエタノールまたはプロパノール）を含むことが特に好ましい。
【００３７】
水を含まない有機溶媒は、単一の有機溶媒であるか、２種以上の有機溶媒の混合物であることができる。液体媒体が、水を含まない有機溶媒である場合、それは２〜５種の異なる有機溶媒の混合物であることが好ましい。これにより、インクの乾燥特性および貯蔵安定性に対し良好な制御をもたらす液体媒体を選択することが可能になる。
【００３８】
水を含まない有機溶媒を含む液体媒体は、迅速な乾燥時間が必要とされる場合、とりわけ、疎水性および非吸収性基材、例えば、プラスチック、金属およびガラス上に印刷するときに、とりわけ有用である。
【００３９】
言うまでもなく、液体媒体は、インクジェット印刷用インクに従来用いられている追加的成分、例えば、粘度および表面張力の改質剤、腐敗抑制剤、殺生物剤、コゲーション低減剤(kogation reducing additives)、ならびに、イオン性または非イオン性であることができる界面活性剤を、含有することができる。
【００４０】
通常は必要ないが、色調および性能特性を改変するために、さらなる着色剤をインクに加えてもよい。
本発明に従った組成物は、インクジェット印刷機での使用に適したインクであることが好ましい。インクジェット印刷機での使用に適したインクは、微細ノズルを詰まらせることなく、インクジェット印刷ヘッドに通して繰り返し発射させることができるインクである。これを行うために、インクは、粒子を含んでいてはならず、安定でなければならず（すなわち、貯蔵中に沈殿しない）、腐食性元素（例えば塩化物）を含んでいてはならず、そして、印刷ヘッドでの良好な液滴形成を可能にする粘度を有していなければならない。
【００４１】
インクジェット印刷機での使用に適したインクは、２５℃において好ましくは２０ｃＰ未満、より好ましくは１０ｃＰ未満、特に５ｃＰ未満の粘度を有する。
インクジェット印刷機での使用に適したインクは、合計で好ましくは５００ｐｐｍ未満、より好ましくは２５０ｐｐｍ未満、特に１００ｐｐｍ未満、さらに特に１０ｐｐｍ未満の二価および三価の金属イオン（式（１）の着色剤またはインクに組み込まれている他の着色剤もしくは添加剤に結合している二価および三価の金属イオンを除く）を含有する。
【００４２】
インクジェット印刷機での使用に適したインクは、好ましくは１０μｍ未満、より好ましくは３μｍ未満、特に２μｍ未満、さらに特に１μｍ未満の平均孔径を有するフィルターに通して濾過されている。この濾過により、多くのインクジェット印刷機に見いだされる微細ノズルを通常なら詰まらせうる粒状物質が除去される。
【００４３】
インクジェット印刷機での使用に適したインクは、合計で好ましくは５００ｐｐｍ未満、より好ましくは２５０ｐｐｍ未満、特に１００ｐｐｍ未満、さらに特に１０ｐｐｍ未満のハロゲン化物イオンを含有する。
【００４４】
本発明の第３の観点は、基材上に像を形成するための方法であって、本発明の第２の観点に従った組成物、好ましくはインクジェット印刷機での使用に適したインクを、インクジェット印刷機により基材に施用することを含む方法を提供する。
【００４５】
インクジェット印刷機は、インクを基材に、小さなオリフィスに通して基材上に噴出させる液滴の形で施用することが好ましい。好ましいインクジェット印刷機は、圧電インクジェット印刷機およびサーマルインクジェット印刷機である。サーマルインクジェット印刷機では、プログラム化した熱パルスをオリフィスに隣接する抵抗器によりリザーバー中のインクに施用し、それにより、基材とオリフィスとの相対運動中に、インクを小さな液滴の形でオリフィスから基材に向けて噴出させる。圧電インクジェット印刷機では、小さな結晶の振動により、オリフィスからインクを噴出させる。
【００４６】
基材は、好ましくは、紙、プラスチック、生地、金属またはガラス、より好ましくは、紙、オーバーヘッドプロジェクター用スライドまたは生地材料、特に紙である。
好ましい紙は、酸性、アルカリ性または中性の性質を有することができる普通紙または処理紙である。写真用品質の紙が特に好ましい。写真用品質の紙は、銀塩写真プリントで典型的に見られるものと同様の仕上がりをもたらす。
【００４７】
本発明の第４の観点は、本発明の第１の観点に記載した染料および／またはその塩の混合物、本発明の第２の観点に従った組成物、あるいは本発明の第３の観点に従った方法を用いて、印刷された材料、好ましくは、紙、プラスチック、生地、金属またはガラス、より好ましくは、紙、オーバーヘッドプロジェクター用スライドまたは生地材料、特に紙、さらに特に普通紙、塗被紙または処理紙を提供する。
【００４８】
本発明の第４の観点の印刷された材料が、本発明の第３の観点に従った方法を用いて印刷された写真用品質の紙上のプリントであることが、特に好ましい。
本発明の第５の観点は、チャンバーと、組成物、好ましくは、インクジェット印刷機での使用に適したインクとを含むインクジェット印刷機用カートリッジであって、該組成物が該チャンバー内にあり、該組成物が本発明の第２の観点で定義し選んだとおりである、前記インクジェット印刷機用カートリッジを提供する。該カートリッジは、本発明の第２の観点に記載した高濃度インクおよび低濃度インクを、異なるチャンバー内に含有していてもよい。
【００４９】
本発明を以下の実施例によりさらに例示する。ここにおいて、すべての部および百分率は、特記しない限り重量に基づく。
【実施例】
【００５０】
実施例１
以下のリチウム塩の調製：
【００５１】
【化４】
2013508496.tif 000006
【００５２】
米国特許公報第７２１１１３４号の実施例１０５に記載されているとおりに調製した。
実施例２
染料の混合物を、実施例１の染料８３部を１７部のＣ．Ｉ．アシッドブルー９と混合することにより調製した。
実施例３
インクの調製
実施例のインクと、一方は実施例１の染料を含有し他方はＣ．Ｉ．アシッドブルー９を含有する２つの対照インクを、３．２ｇの染料混合物を、以下（重量％）： 
ジエチレングリコール            ７％
２−ピロリドン                  ７％
エチレングリコール              ７％  
ＳｕｒｆｙｎｏｌＲＴＭ  ４６５    １％
トリス緩衝液                    ０．２％
水                              ７７．８％
を含む液体媒体に溶解することにより調製した。
【００５３】
Ｓｕｒｆｙｎｏｌ（登録商標）４６５はＡｉｒ  Ｐｒｏｄｕｃｔｓからの界面活性剤である。
実施例４
インクジェット印刷
上記のように調製したインクを、０．４５ミクロンのナイロン製フィルターに通して濾過した後、シリンジを用いて空の印刷用カートリッジ中に組み込んだ。
【００５４】
その後、これらのインクを以下のインクジェット媒体上にインクジェット印刷した：  
Ｅｐｓｏｎ（登録商標）Ｕｌｔｒａ  Ｐｒｅｍｉｕｍ  Ｇｌｏｓｓｙ  Ｐｈｏｔｏ  Ｐａｐｅｒ（ＳＥＣ  ＰＭ）；
Ｃａｎｏｎ（登録商標）Ｐｈｏｔｏ  Ｐａｐｅｒ  Ｐｒｏ  Ｐｌａｔｉｎｕｍ  ＰＴ１０１  Ｐｈｏｔｏ  Ｐａｐｅｒ（ＰＴ１０１）；および
ＨＰ  Ａｄｖａｎｃｅｄ  Ｐｈｏｔｏ  Ｐａｐｅｒ（ＨＰＰ）。
【００５５】
Ｃａｎｏｎ  ＧＦ５００  ｐａｐｅｒ（ＧＦ５００）
Ｘｅｒｏｘ  Ａｃｉｄ（登録商標）４２００  Ｃｏｐｙ  Ｐａｐｅｒ（ＸＡ４２００）
プリント測定
プリントの反射率スペクトルを、以下のパラメーターに設定したＧｒｅｔａｇ  ＳｐｅｃｔｒｏｌｉｎｏＲＴＭ分光光度計を用いて得た：
測定配置：０°／４５°
スペクトル域：３８０〜７３０ｎｍ
スペクトル間隔：１０ｎｍ
光源：Ｄ５０
観測視野：２°（ＣＩＥ１９３１）
密度：Ａｎｓｉ  Ａ
外部充填物(External Filler)：なし
予想ＲＯＤの計算
一定数Ｋｕｂｅｌｋａ−Ｍｕｎｋモデル(one constant Kubelka-Munk model)を用いて、反射率スペクトル（Ｒ）を吸収係数（Ｋ）と散乱計数（Ｓ）の比に変換した（Ｋａｎｇ，Ｈ．Ｒ．  Ｊ．Ｉｍａｇ．Ｔｅｃｈ．，１７，２，１９９１，７６−８３）。その後、この比を単一実体(single entity)として扱う。  
【００５６】
【数１】
2013508496.tif 000007
【００５７】
このモデルでは系には境界がないと仮定し（すなわち、空気とプリントの間の屈折率変化に補正を用いない）、散乱は一定であると仮定する。また、個々の成分のＫ／Ｓ比は、各波長において加法的であると仮定する：したがって、
【００５８】
【数２】
2013508496.tif 000008
【００５９】
インクの３８０〜７３０ｎｍの波長範囲でのＫ／Ｓ値を、上記のように、印刷深さ１００％で測定した反射率スペクトルから計算した。
実施例１の染料およびアシッドブルー９のＫ／Ｓ値は、ブレンド中の適切な染料濃度が与えられるように、以下のレベルに合わせて調整した。
【００６０】
Ｃ０３７：０．８３
アシッドブルー９：０．１７
その後、各紙上のブレンドのスペクトルのＫ／Ｓ値を得るために、各紙上の各染料の調整したＫ／Ｓスペクトルを各波長で合計した。
【００６１】
さまざまな紙上でのブレンドのスペクトルを、同じ紙上で測定した両染料の反射率スペクトルを用いて計算した。
その後、ブレンドのＫ／Ｓスペクトルを、以下の式を用いて、対応する反射率スペクトルに変換した。式中、Ｒ＝反射率である。ここでも、Ｋ／Ｓ比を単一実体として扱う。
【００６２】
【数３】
2013508496.tif 000009
【００６３】
結果
【００６４】
【表１】
2013508496.tif 000010
【００６５】
明らかに、式（１）の染料と酸性トリフェニルメタン染料の混合物は、印刷したときに、計算したスペクトルから予想したものに比べ高いＲＯＤを有する。
さらなるインク
表ＡおよびＢに記載したインクは、実施例２に記載した染料の混合物を用いて調製することができる。第１列に示した染料の混合物を、第２列以降に明記したインク１００部に溶解する。第２列以降に挙げた数字は当該インク構成成分の部数をさし、すべての部は重量に基づく。インクのｐＨは、適した酸または塩基を用いて調整することができる。インクは、インクジェット印刷により基材に施用することができる。
【００６６】
以下の略語を表ＡおよびＢに用いる：
ＰＧ＝プロピレングリコール
ＤＥＧ＝ジエチレングリコール
ＮＭＰ＝Ｎ−メチルピロリドン
ＤＭＫ＝ジメチルケトン
ＩＰＡ＝イソプロパノール
２Ｐ＝２−ピロリドン
ＭＩＢＫ＝メチルイソブチルケトン
Ｐ１２＝プロパン−１，２−ジオール
ＢＤＬ＝ブタン−２，３−ジオール
ＴＢＴ＝第三ブタノール
【００６７】
【表２】
2013508496.tif 000011
【００６８】
【表３】
2013508496.tif 000012
【国際調査報告】
2013508496.tif 000017
2013508496.tif 000018
2013508496.tif 000019